(57)【要約】【課題】吸水性に優れた珪藻土を主成分とする吸水性板を使用し、乾燥時や不使用時には筒状に丸めたり、蛇腹状に折り畳んだりしてコンパクトな形状にすることができる足拭きマットを提供する。【解決手段】珪藻土を主成分とする同一形状の複数枚の珪藻土矩形板と、支持板とで構成する。複数枚の珪藻土矩形板は支持板上に等間隔の一列に並べて固定する。支持板は等間隔で一列に並べた珪藻土矩形板全体を支持できる大きさの矩形板とし、屈曲可能な材料を用いて形成する。複数枚の珪藻土矩形板を固定した状態で珪藻土矩形板を外側又は内側にして渦巻き状に丸めることができるように隣り合う珪藻土矩形板間の間隔を調整しておく。【選択図】図１
2019069302.tif 000002
【特許請求の範囲】
【請求項１】
珪藻土を主成分とする吸水性板を用いた足拭きマットであって、
該足拭きマットは珪藻土を主成分とする同一形状の複数枚の珪藻土矩形板と、支持板とで構成され、
前記複数枚の珪藻土矩形板は前記支持板上に等間隔の一列に並べて固定され、
前記支持板は前記等間隔で一列に並べた珪藻土矩形板全体を支持できる大きさの矩形板で、屈曲可能な材料を用いて形成されており、隣り合う珪藻土矩形板の間隔を調整することにより珪藻土矩形板を外側にして渦巻き状に丸めることができるように構成されていることを特徴とする足拭きマット。
【請求項２】
請求項１に記載の足拭きマットにおいて、前記珪藻土矩形板を外側にして渦巻き状に丸めることに代えて、隣り合う珪藻土矩形板の間隔を調整することにより珪藻土矩形板を内側にして渦巻き状に丸めることができるように構成されていることを特徴とする足拭きマット。
【請求項３】
請求項１又は２に記載の足拭きマットにおいて、前記一枚の矩形の支持板に代えて、前記一列の方向に長い幅狭矩形板を該一列と平行に複数枚並べ、該複数枚の幅狭矩形板上に前記珪藻土矩形板を固定し、該幅狭矩形板は屈曲可能な材料を用いて形成されていることを特徴とする足拭きマット。
【請求項４】
請求項１乃至３に記載の足拭きマットにおいて、前記渦巻き状に丸めることに代えて、隣り合う珪藻土矩形板の間隔を調整することにより前記一列に並べた珪藻土矩形板を一枚ずつ反対方向に折り曲げて全体を蛇腹状に折り畳めるように構成されていることを特徴とする足拭きマット。
【発明の詳細な説明】
【技術分野】
【０００１】
本発明はぬれた足を拭くために浴室の出入り口やその他の水周りの床面に敷く足拭きマットであって、特には、吸水性に優れた珪藻土を主成分とする吸水性板を使用しつつも、乾燥時や不使用時には渦巻き状に丸めたり、蛇腹状に折り畳んだりできるようにした足拭きマットに関する。
【背景技術】
【０００２】
浴室、シャワー室、プール等の出入り口には足裏の水滴や落ちてくる水滴を吸い取るための足拭きマットが敷かれる。足拭きマットは素材として綿や麻などの天然素材を使用したものが多いが、これらは使用頻度が高いと吸水性が低下して水滴を十分には吸い取れなくなる。解決策として吸水性に優れた珪藻土を固めてパネル形状とした足拭きマットがある。
【０００３】
珪藻土は太古の植物性プランクトンである珪藻の殻が、長年にわたり海底や湖底に堆積して化石化した鉱物である。珪藻土の表面にはナノサイズの小さい孔が無数にあいていて、表面についた水分を一瞬にして吸いとる。珪藻土を使用した足拭きマットはこのような珪藻土の粉末をマット状に固めたもので、濡れた足を乗せると水滴は一瞬に吸収される。珪藻土は吸収した水分が一定量に達すると、自律呼吸をして水分を放出する調湿機能をもつ。このため毎日洗濯して乾燥させる手間を必要としない。長く使用して吸水性能が落ちたときはヤスリで表面を削る。
【０００４】
しかし、珪藻土をマット状に固めた従来の足拭きマットは図１１に示すような板状であり、固くて割れやすい欠点がある。また、大きな板状のため保管のため壁などに立て掛けるには広いスペースを必要とし、その際に倒れて割れる心配もある。解決策として、例えば特許文献１には図１２に示すような矩形外周枠の下側に底板を固着した支持盤５０の上に、矩形の珪藻土タイル５１を複数枚並べて取り付けた足拭きマットが開示されている。珪藻土タイル５１は底板上に固着されているため、保管時に倒れたとしても損傷は少ない利点がある。しかし、底板は固い一枚板であるため、保管にはスペースを必要とする問題がある。
【先行技術文献】
【特許文献】
【０００５】
【特許文献１】特開２００６−３４７９７号公報
【発明の概要】
【発明が解決しようとする課題】
【０００６】
本発明は、従来技術のこうした問題点を解決するためになされたもので、その課題は、吸水性に優れた珪藻土を主成分とする吸水板を使用した足拭きマットであって、乾燥時や不使用時には筒状に丸めたり、蛇腹状に折り畳んだりしてコンパクトな形状にすることのできる足拭きマットを提供することにある。
【課題を解決するための手段】
【０００７】
前記課題を解決するための請求項１に記載の発明は、珪藻土を主成分とする吸水性板を用いた足拭きマットであって、該足拭きマットは珪藻土を主成分とする同一形状の複数枚の珪藻土矩形板と、支持板とで構成され、複数枚の珪藻土矩形板は支持板上に等間隔の一列に並べて固定され、支持板は等間隔で一列に並べた珪藻土矩形板全体を支持できる大きさの矩形板で、屈曲可能な材料を用いて形成されており、隣り合う珪藻土矩形板の間隔を調整することにより珪藻土矩形板を外側にして渦巻き状に丸めることができるように構成されていることを特徴とする足拭きマットである。
【０００８】
このような構成としておけば、不使用時や乾燥時には筒状に丸めてコンパクトな形状にすることができる。
【０００９】
また、請求項２に記載の発明は、請求項１に記載の足拭きマットにおいて、珪藻土矩形板を外側にして渦巻き状に丸めることに代えて、隣り合う珪藻土矩形板の間隔を調整することにより珪藻土矩形板を内側にして渦巻き状に丸めることができるように構成されていることを特徴とする足拭きマットである。
【００１０】
このような構成としておけば、不使用時や乾燥時には筒状に丸めてコンパクトな形状にすることができる。
【００１１】
また、請求項３に記載の発明は、請求項１又は２に記載の足拭きマットにおいて、前記一枚の矩形の支持板に代えて、前記一列の方向に長い幅狭矩形板を該一列と平行に複数枚並べ、該複数枚の幅狭矩形板上に珪藻土矩形板を固定し、該幅狭矩形板は屈曲可能な材料を用いて形成されていることを特徴とする足拭きマットである。
【００１２】
このような構成とした場合も不使用時や乾燥時には筒状に丸めてコンパクトな形状にすることができる。
【００１３】
また、請求項４に記載の発明は、請求項１乃至３に記載の足拭きマットにおいて、渦巻き状に丸めることに代えて、隣り合う珪藻土矩形板の間隔を調整することにより一列に並べた珪藻土矩形板を一枚ずつ反対方向に折り曲げて全体を蛇腹状に折り畳めるように構成されていることを特徴とする足拭きマットである。
【００１４】
このような構成としておけば、不使用時や乾燥時には蛇腹状に折り畳んでコンパクトな形状とすることができる。
【図面の簡単な説明】
【００１５】
【図１】第１の実施形態に係る足拭きマット１の外観斜視図である。
【図２】足拭きマット１の分解斜視図である。
【図３】図１中の矢印方向から見た足拭きマット１の一部拡大側面図である。
【図４】珪藻土矩形板２を外側に向け渦巻き状に丸めた状態の斜視図である。
【図５】珪藻土矩形板２を内側に向け渦巻き状に丸めた状態の斜視図である。
【図６】第２の実施形態に係る足拭きマット１ａの外観斜視図である。
【図７】複数枚の幅狭矩形板４を等間隔で並べた支持板の外観斜視図である。
【図８】蛇腹状に折り畳んだ足拭きマット１ｂの外観斜視図である。
【図９】蛇腹状に折り畳んだ足拭きマット１ｂの他の外観斜視図である。
【図１０】蛇腹状に折り畳む足拭きマット１ｂの側面図である。
【図１１】従来の足拭きマットの例である。
【図１２】特許文献１の足拭きマットの外観図である。
【発明を実施するための形態】
【００１６】
以下、本発明に係る足拭きマットの実施形態を形態別に図面を参照して説明する。
（第１の実施形態）
図１は第１の実施形態に係る足拭きマット１の外観斜視図、図２は足拭きマット１の分解斜視図、図３は図１中の矢印方向から見た足拭きマット１の一部拡大側面図である。図２に示すように足拭きマット１は、複数枚の珪藻土矩形板２と支持板３とから構成される。珪藻土矩形板２は珪藻土を主成分とする粉末を板状に固めたものである。粉末材料の成分は、例えば、珪藻土約６０％、植物繊維約３０％、石英砂約１０％である。これら３成分に水を加えて均一に混合し、鋳型に流し込んでローラなどで押し固め、圧力窯に入れて加熱した後、乾燥窯で乾燥させ、最後に表面を砂磨きして矩形板状にカットしたものである。
【００１７】
本実施形態では同一形状の珪藻土矩形板２を複数枚使用する。細長の長方形板を使用しているが正方形の板でもよい。この珪藻土矩形板２を図１に示すように支持板３上に複数枚、等間隔の一列に並べて支持板３に固定する。支持板３は等間隔の一列に並べた珪藻土矩形板２を支持できる大きさの矩形板である。支持板３の材料としては柔軟性があって屈曲可能な材料、例えば、ポリ塩化ビニル、ポリエチレン、エチレンビニルアセテートなどの薄板を使用する。
【００１８】
図３は支持板３上に珪藻土矩形板２を等間隔の一列に並べて固定した足拭きマット１の側面図であり、図１中の矢印方向から見た一部拡大側面図である。珪藻土矩形板２の支持板３への固定は接着で行なう。珪藻土矩形板２の寸法は、例えば幅５５ｍｍ、長さ３９０ｍｍ、厚み９ｍｍである。支持板３の厚みは、例えば１〜２ｍｍである。
【００１９】
珪藻土を主成分とする板は固くて欠けやすく、折り曲げると割れてしまう。このため足拭きマットとして使用する場合には、図Ｎ１に示したような大きな一枚板形状で使用される。これでは保管や乾燥の際に不便である。本発明の足拭きマット１は、保管や乾燥の際には渦巻き状に丸めてコンパクトな形状にできるようにすることを目的としている。その実現のため、屈曲性のある薄い支持板３の上に矩形の珪藻土矩形板２を複数枚、等間隔の一列に並べて固定する構造を採用している。隣り合う珪藻土矩形板２間の間隔は、渦巻き状に丸めることが可能な間隔におく必要がある。間隔は支持板３の厚み、屈曲性能、丸め方を考慮し調整する。
【００２０】
渦巻き状の丸め方としては、図３の側面を有する足拭きマット１を、珪藻土矩形板２を渦巻きの外側に向けた状態で丸める方法と、内側に向けた状態で丸める方法とがある。図４は珪藻土矩形板２を渦巻きの外側に向けた状態で丸めた状態の斜視図、図５は珪藻土矩形板２を渦巻きの内側に向けた状態で丸めた状態の斜視図である。図４の丸め方の場合、支持板３の屈曲性が高ければ、即ち、支持板３の材料の屈曲性能が高くて厚みが薄ければ、隣り合う珪藻土矩形板２間の間隔は狭くてもよい。例えば、前述した寸法の場合には、間隔を５．５〜６ｍｍとする。
【００２１】
珪藻土矩形板２を渦巻きの内側に向けた状態で丸める図５の場合は、支持板３の材料の屈曲性能と厚みに加えて、珪藻土矩形板２の厚みも考慮して間隔を決める必要がある。渦巻きの内側に向けた状態で丸める場合、間隔が狭すぎると、隣り合う珪藻土矩形板２の上面角部がぶつかり合って欠ける心配があるからである。この心配を少なくするため、珪藻土矩形板２の上面角部は図３に示すように角部に丸みを持たせてある。角部が角張っていると、足拭きのため足を乗せた時に足が痛んだり傷ついたりする心配があるので丸みを持たせておくことが好ましい。このように丸みを持たせても、珪藻土矩形板２は厚みがあるため隣り合う珪藻土矩形板２の間隔は図４のように珪藻土矩形板２を外側に向けて丸める場合より広くしておく必要がある。
【００２２】
（第２の実施形態）
第１の実施形態では支持板３として一枚の矩形板を使用したが、これに代えて複数枚の幅狭矩形板を使用してもよい。図６は複数枚の幅狭矩形板４を使用した足拭きマット１ａの外観斜視図である。複数枚の幅狭矩形板４は、図７に示すように複数枚を等間隔で並べて珪藻土矩形板２の下に敷かれ、その上に藻土矩形板２を固定している。幅狭矩形板４の材料は第１の実施形態の支持板３と同じである。このような構成としても図４、図５のように渦巻き状に丸めることができる。
【００２３】
（第３の実施形態）
本実施形態は、第１、第２の実施形態で示した図１、図６の構造を基本とする足拭きマットを、渦巻き状に丸めることに加えて蛇腹状にも折り畳めるように構成したものである。図８、図９は蛇腹状に折り畳んだ足拭きマット１ｂの外観斜視図である。一列に並べた珪藻土矩形板２を一枚ずつ反対方向に折り曲げて全体を蛇腹状に折り畳んだ状態である。
【００２４】
このような折り畳みを可能にするには、珪藻土矩形板２は等間隔で支持板３に固定するのではなく、図１０に示すように１個おきに広い間隔、狭い間隔とするのがよい。隣り合う珪藻土矩形板２が向き合う姿勢となる二つの珪藻土矩形板２の間隔は広く、背中合わせとなる二つの珪藻土矩形板２の間隔は狭くしておく。勿論、全てを広い間隔で統一してもよいが、隣り合う珪藻土矩形板２の間隔は広すぎることは足拭きマットとして好ましくない。支持板３は急角度に曲げるため、薄くて柔軟性の高い板を使用する。シートと呼べるような薄いものがよい。
【００２５】
以上、第１、第２、第３の実施形態で説明した構造の足拭きマット１、１ａ、１ｂは、何れも不使用時や乾燥時には筒状に丸めたり、蛇腹状に折り畳んだりしてコンパクトな形状にすることができる利点を有する。
【符号の説明】
【００２６】
図面中、１、１ａ、１ｂは足拭きマット、２は珪藻土矩形板、３は支持板、４は幅狭矩形板を示す。
【図１】
2019069302.tif 000003
【図２】
2019069302.tif 000004
【図３】
2019069302.tif 000005
【図４】
2019069302.tif 000006
【図５】
2019069302.tif 000007
【図６】
2019069302.tif 000008
【図７】
2019069302.tif 000009
【図８】
2019069302.tif 000010
【図９】
2019069302.tif 000011
【図１０】
2019069302.tif 000012
【図１１】
2019069302.tif 000013
【図１２】
2019069302.tif 000014